(57)【要約】【課題】単一のリモコンでＰＣ１０とＶＴＲ４０とＴＶ機能付きモニタのテレビとを操作する場合に、リモコンからＰＣ−ＶＴＲ−テレビの切換スイッチを取り除き、操作性を向上させること。【解決手段】ＰＣ画面、ＴＶ画面およびＶＴＲ画面が同時に表示されている場合に、ＩＲ受光部６４０が音声切換部６２０の切換状況に基づいて音声回路６３０に出力されている音声がＰＣ１０の出力であるかＶＴＲ４０の出力であるかＴＶ回路６１０の出力であるかを判定する。そして、ＩＲ受光部６４０が音声回路６３０に出力されている音声に基づいてＴＶ回路６１０、ＶＴＲ４０またはＰＣ１０へデータを転送する。【選択図】        図７
2010183635.tif 000002
【特許請求の範囲】
【請求項１】
遠隔制御装置で制御される複数の電子装置の画像出力および音声出力を切り換えて出力する切り換え装置において、
前記遠隔制御装置から送信され、前記複数の電子装置のうちのいずれかの電子装置を制御するデータを受信するデータ受信手段と、
前記切替え装置が複数の電子装置の画像出力の合成画像と該複数の電子装置のうちのいずれかの電子装置の音声を出力している場合に、前記切り換え装置が現在音声を出力している電子装置に前記データを転送するデータ転送手段と
を備えたことを特徴とする切り換え装置。
【請求項２】
画像及び音声を出力する複数の出力部と、遠隔制御装置から送信されて前記複数の出力部のうちのいずれかの出力部を制御するデータを受信するデータ受信部と、前記出力部の画像出力および音声出力を切り換えて出力する切り換え部とを備える電子装置において、
前記切り換え部が複数の出力部の画像出力の合成画像と該複数の出力部のうちのいずれかの出力部の音声を出力している場合に、前記切り換え部が現在音声を出力している出力部に前記データを転送するデータ転送部を備えたことを特徴とする電子装置。
【請求項３】
遠隔制御装置で制御される複数の電子装置の画像出力および音声出力を切り換えて出力する切り換え装置によるデータ転送方法において、
前記遠隔制御装置から送信され、前記複数の電子装置のうちのいずれかの電子装置を制御するデータを受信するデータ受信ステップと、
前記切り換え装置が複数の電子装置の画像出力の合成画像と該複数の電子装置のうちのいずれかの電子装置の音声を出力している場合に、前記切り換え装置が現在音声を出力している電子装置に前記データを転送するデータ転送ステップと
を含んだことを特徴とするデータ転送方法。
【請求項４】
遠隔制御装置で制御される複数の電子装置の画像出力および音声出力を切り換えて出力する切り換えプログラムにおいて、
前記遠隔制御装置から送信され、前記複数の電子装置のうちのいずれかの電子装置を制御するデータを受信するデータ受信手順と、
前記切り換えプログラムが複数の電子装置の画像出力の合成画像と該複数の電子装置のうちのいずれかの電子装置の音声を出力している場合に、前記切り換えプログラムが現在音声を出力している電子装置に前記データを転送するデータ転送手順と
をコンピュータに実行させることを特徴とする切り換えプログラム。
【発明の詳細な説明】
【技術分野】
【０００１】
この発明は、遠隔制御装置で制御される複数の電子装置の画像出力および音声出力を切り換えて出力する切り換え装置、電子装置、データ転送方法および切り換えプログラムに関し、特に、遠隔制御装置から装置切換えスイッチを取り除き、遠隔制御装置の操作性を向上することができる切り換え装置、電子装置、データ転送方法および切り換えプログラムに関するものである。
【背景技術】
【０００２】
近年、パソコンをリモコンで操作する用途が増えてきている。また、パソコン画面を表示するモニタにテレビ機能を搭載し、モニタのテレビ機能をリモコン（遠隔制御装置）で操作することも行われている。
【０００３】
このような場合、パソコン用リモコンとモニタ用リモコンを別々に用意するか、あるいは一つのリモコンに操作対象（ここでは、パソコンまたはモニタ）を切換えるスイッチを設けてユーザに操作対象を選択させるようにしている（例えば、非特許文献１参照。）。
【０００４】
図９は、ＴＶ(テレビ)機能付きモニタの構成を示す機能ブロック図である。同図において、ＴＶ機能付きモニタ８００は、ＴＶ回路８１０と、入力切換部８２０と、表示デバイス８３０と、ＩＲ(Infrared：赤外線)受光部８４０とを有する。
【０００５】
ＴＶ回路８１０は、テレビ電波を受信し、ユーザによって指定されたテレビ局の番組を選択してその映像音声信号を入力切換部８２０に出力する回路である。
【０００６】
入力切換部８２０は、ＴＶ回路８１０とＰＣ(パソコン)１０から映像音声信号を入力し、ＰＣ１０からの映像音声信号とＴＶ回路８１０からの映像音声信号を切換えて表示デバイス８３０に出力する切換部である。
【０００７】
表示デバイス８３０は、入力切換部８２０が出力する映像信号を表示するデバイスであり、ＰＣ画面またはテレビ画面を表示する。
【０００８】
ＩＲ受光部８４０は、リモコン２０が赤外線を用いて送信するデータを受信し、受信したデータをＰＣ１０またはＴＶ回路８１０に転送する処理部である。ここで、リモコン２０は、図１０に示すように、操作対象を選択するための切換スイッチ２１を備えており、切換スイッチ２１により選択されている操作対象を示すコードをデータ内に盛り込んで送信する。つまり、リモコン２０は、同じ操作を行っても切換スイッチの状態によって異なるコードを含んだデータを送信する。したがって、ＩＲ受光部８４０は、データ内のコードに基づいてデータをＰＣ１０またはＴＶ回路８１０に転送することができる。
【先行技術文献】
【非特許文献】
【０００９】
【非特許文献１】「インスタントテレビ機能取扱説明書」、富士通、ＦＭＶDeskpower、Ｔシリーズ、B6FH-1841-01
【発明の概要】
【発明が解決しようとする課題】
【００１０】
しかしながら、従来のリモコン２０では、切換スイッチ２１を用いて操作対象を選択する必要があり、操作性が悪いという問題があった。具体的には、切換スイッチ２１を切換忘れたまま操作すると、ＰＣ１０またはテレビがユーザの意図しない動きをする恐れがあった。
【００１１】
例えば、リモコン２０の操作対象がＰＣ１０であることを忘れて、テレビを観賞中にテレビ操作を行おうとしてリモコン２０を操作すると、誤ってＰＣ１０を操作することになり、データを消去してしまうなどの問題が生じる可能性がある。また、音量を調整しようとしても、データがＰＣ１０に流れてしまうので、リモコン２０をいくら操作しても音量の調整ができないといった不具合が生じることがある。
【００１２】
この発明は、上述した従来技術による問題点を解消するためになされたものであり、遠隔制御装置から装置切換えスイッチを取り除き、遠隔制御装置の操作性を向上することができる切り換え装置、電子装置、データ転送方法および切り換えプログラムを提供することを目的とする。
【課題を解決するための手段】
【００１３】
上述した課題を解決し、目的を達成するため、本発明は、遠隔制御装置で制御される複数の電子装置の画像出力および音声出力を切り換えて出力する切り換え装置において、前記遠隔制御装置から送信され、前記複数の電子装置のうちのいずれかの電子装置を制御するデータを受信するデータ受信手段と、前記切替え装置が複数の電子装置の画像出力の合成画像と該複数の電子装置のうちのいずれかの電子装置の音声を出力している場合に、前記切り換え装置が現在音声を出力している電子装置に前記データを転送するデータ転送手段とを備える。
【００１４】
また、本発明は、遠隔制御装置で制御される複数の電子装置の画像出力および音声出力を切り換えて出力する切り換え装置によるデータ転送方法において、前記遠隔制御装置から送信され、前記複数の電子装置のうちのいずれかの電子装置を制御するデータを受信するデータ受信ステップと、前記切り換え装置が複数の電子装置の画像出力の合成画像と該複数の電子装置のうちのいずれかの電子装置の音声を出力している場合に、前記切り換え装置が現在音声を出力している電子装置に前記データを転送するデータ転送ステップとを含む。
【００１５】
また、本発明は、遠隔制御装置で制御される複数の電子装置の画像出力および音声出力を切り換えて出力する切り換えプログラムにおいて、前記遠隔制御装置から送信され、前記複数の電子装置のうちのいずれかの電子装置を制御するデータを受信するデータ受信手順と、前記切り換えプログラムが複数の電子装置の画像出力の合成画像と該複数の電子装置のうちのいずれかの電子装置の音声を出力している場合に、前記切り換えプログラムが現在音声を出力している電子装置に前記データを転送するデータ転送手順とをコンピュータに実行させる。
【００１６】
かかる本発明によれば、遠隔制御装置から送信され、複数の電子装置のうちのいずれかの電子装置を制御するデータを受信し、切替え装置が複数の電子装置の画像出力の合成画像と複数の電子装置のうちのいずれかの電子装置の音声を出力している場合に、切り換え装置が現在音声を出力している電子装置にデータを転送するよう構成したので、遠隔制御装置から装置切換スイッチを取り除くことができる。
【００１７】
また、本発明は、画像及び音声を出力する複数の出力部と、遠隔制御装置から送信されて前記複数の出力部のうちのいずれかの出力部を制御するデータを受信するデータ受信部と、前記出力部の画像出力および音声出力を切り換えて出力する切り換え部とを備える電子装置において、前記切り換え部が複数の出力部の画像出力の合成画像と該複数の出力部のうちのいずれかの出力部の音声を出力している場合に、前記切り換え部が現在音声を出力している出力部に前記データを転送するデータ転送部を備える。
【００１８】
本発明によれば、切り換え部が複数の出力部の画像出力の合成画像と該複数の出力部のうちのいずれかの出力部の音声を出力している場合に、切り換え部が現在音声を出力している出力部にデータを転送するよう構成したので、遠隔制御装置から装置切換スイッチを取り除くことができる。
【発明の効果】
【００１９】
本発明によれば、遠隔制御装置から装置切換スイッチを取り除くことが可能であるので、遠隔制御装置の操作性を向上させることができるという効果を奏する。
【図面の簡単な説明】
【００２０】
【図１】図１は、本実施例１に係るＴＶ機能付きモニタの構成を示す機能ブロック図である。
【図２】図２は、切換スイッチ無しリモコンを示す図である。
【図３】図３は、ＩＲ受光部によるデータ受信処理の処理手順を示すフローチャートである。
【図４】図４は、本実施例２に係るＴＶ機能付きモニタの構成を示す機能ブロック図である。
【図５】図５は、本実施例３に係るＴＶ機能付きモニタの構成を示す機能ブロック図である。
【図６】図６は、複数の映像を表示するモニタ画面の一例を示す図である。
【図７】図７は、本実施例４に係るＴＶ機能付きモニタの構成を示す機能ブロック図である。
【図８】図８は、本実施例１〜４に係るリモコンデータ転送プログラムを実行するコンピュータの構成を示す機能ブロック図である。
【図９】図９は、ＴＶ機能付きモニタの構成を示す機能ブロック図である。
【図１０】図１０は、切換スイッチ有りリモコンを示す図である。
【発明を実施するための形態】
【００２１】
以下に添付図面を参照して、この発明に係る切り換え装置、電子装置、データ転送方法および切り換えプログラムの好適な実施例を詳細に説明する。なお、本実施例では、パソコンなどが映像音声信号をモニタ装置に出力する場合を中心に説明するが、文字データなど他のデータを出力することもできる。
【実施例１】
【００２２】
まず、本実施例１に係るＴＶ機能付きモニタの構成について説明する。図１は、本実施例１に係るＴＶ機能付きモニタの構成を示す機能ブロック図である。なお、ここでは説明の便宜上、図９に示した各部と同様の役割を果たす機能部については同一符号を付すこととしてその詳細な説明を省略する。
【００２３】
図１に示すように、このＴＶ機能付きモニタ１００は、ＴＶ回路８１０と、入力切換部１２０と、表示デバイス８３０と、ＩＲ受光部１４０とを有する。
【００２４】
入力切換部１２０は、入力切換部８２０と同様、ＰＣ１０からの映像音声信号とＴＶ回路８１０からの映像音声信号を切換えて表示デバイス８３０に出力する切換部である。また、この入力切換部１２０は、現在の切換状況、すなわち、表示デバイス８３０に出力する映像音声信号がＰＣ１０から入力したものであるかＴＶ回路８１０から入力したものであるかをＩＲ受光部１４０に通知する。
【００２５】
ＩＲ受光部１４０は、ＩＲ受光部８４０と同様、リモコン３０が赤外線を用いて送信するデータを受信し、受信したデータをＰＣ１０またはＴＶ回路８１０に転送する処理部である。ただし、リモコン３０は、リモコン２０と異なり、図２に示すように、切換スイッチを備えていない。したがって、リモコン３０から送られてくるデータには操作対象を示すデータが含まれていないため、ＩＲ受光部１４０は、入力切換部１２０から通知された切換状況に基づいてデータの転送先を決定する。
【００２６】
このＩＲ受光部１４０は、入力情報取得部１４１と、入力情報記憶部１４２と、受信部１４３と、振分け部１４４とを有する。
【００２７】
入力情報取得部１４１は、入力切換部１２０から通知される切換状況を取得する処理部であり、取得した切換状況を入力情報記憶部１４２に格納する。入力情報記憶部１４２は、入力切換部１２０から通知された切換状況を記憶する記憶部である。
【００２８】
受信部１４３は、リモコン３０から赤外線を用いて送信されるデータを受信する処理部であり、受信したデータを振分け部１４４に引き渡す。振分け部１４４は、受信部１４３から取得したデータを、入力情報記憶部１４２に記憶された切換状況に基づいてＰＣ１０またはＴＶ回路８１０に転送する処理部である。
【００２９】
この振分け部１４４が、受信部１４３から取得したデータを、入力情報記憶部１４２に記憶された切換状況に基づいてＰＣ１０またはＴＶ回路８１０に自動的に転送することによって、リモコン３０から切換スイッチを取り除くことができる。
【００３０】
次に、ＩＲ受光部１４０によるデータ受信処理の処理手順について説明する。図３は、ＩＲ受光部１４０によるデータ受信処理の処理手順を示すフローチャートである。同図に示すように、このＩＲ受光部１４０は、受信部１４３がリモコン３０からデータを受信すると（ステップＳ１０１）、振分け部１４４が入力情報記憶部１４２に記憶された切換状況を用いて、入力切換部１２０の入力がＴＶ回路８１０からの映像音声信号であるのかＰＣ１０からの映像音声信号であるのかを判定する（ステップＳ１０２）。
【００３１】
そして、入力切換部１２０の入力がＴＶ回路８１０からの映像音声信号である場合には、ＴＶ回路８１０へデータを引き渡し（ステップＳ１０３）、入力切換部１２０の入力がＰＣ１０からの映像音声信号である場合には、ＰＣ１０へデータを送信する（ステップＳ１０４）。
【００３２】
このように、振分け部１４４が入力情報記憶部１４２に記憶された切換状況を用いて、入力切換部１２０の入力がＴＶ回路８１０からの映像音声信号であるのかＰＣ１０からの映像音声信号であるのかを判定し、判定結果に基づいてＴＶ回路８１０またはＰＣ１０へデータを転送することによって、リモコン３０から切換スイッチを取り除くことができる。
【００３３】
上述してきたように、本実施例１では、ＩＲ受光部１４０が入力切換部１２０の切換状況に基づいて表示デバイス８３０に表示されている画面がＰＣ画面であるかテレビ画面であるかを判定し、表示デバイス８３０に表示されている画面に基づいてＴＶ回路８１０またはＰＣ１０へデータを転送することとしたので、リモコン３０から切換スイッチを取り除き、操作性を向上させることができる。
【実施例２】
【００３４】
ところで、上記実施例１では、ＩＲ受光部１４０が入力切換部１２０の切換状況に基づいてＴＶ回路８１０またはＰＣ１０へデータを転送する場合について説明したが、ＩＲ受光部１４０の代わりに入力切換部１２０が切換状況に基づいてＴＶ回路８１０またはＰＣ１０へデータを転送することもできる。そこで、本実施例２では、入力切換部１２０が切換状況に基づいてＴＶ回路８１０またはＰＣ１０へデータを転送する場合について説明する。
【００３５】
図４は、本実施例２に係るＴＶ機能付きモニタの構成を示す機能ブロック図である。なお、ここでは説明の便宜上、図１に示した各部と同様の役割を果たす機能部については同一符号を付すこととしてその詳細な説明を省略する。
【００３６】
図４に示すように、このＴＶ機能付きモニタ３００は、ＴＶ回路８１０と、入力切換部３２０と、表示デバイス８３０と、ＩＲ受光部３４０とを有する。
【００３７】
入力切換部３２０は、入力切換部１２０と同様、ＰＣ１０からの映像音声信号とＴＶ回路８１０からの映像音声信号を切換えて表示デバイス８３０に出力する。また、この入力切換部３２０は、振分け部３２１を有し、振分け部３２１は、現在の切換状況に基づいてＩＲ受光部３４０が受信したデータをＰＣ１０またはＴＶ回路８１０に振り分ける処理を行う。
【００３８】
この振分け部３２１がＩＲ受光部３４０が受信したデータを現在の切換状況に基づいてＰＣ１０またはＴＶ回路８１０に自動的に振り分けることによって、リモコン３０から切換スイッチを取り除くことができる。
【００３９】
ＩＲ受光部３４０は、リモコン３０から赤外線を用いて送信されるデータを受信して入力切換部３２０に転送する処理部であり、受信部３４１と転送部３４２とを有する。受信部３４１は、リモコン３０から赤外線を用いて送信されるデータを受信する処理部であり、転送部３４２は、受信部３４１が受信したデータを入力切換部３２０に転送する処理部である。
【００４０】
上述してきたように、本実施例２では、入力切換部３２０が、表示デバイス８３０に表示されている画面がＰＣ画面であるかテレビ画面であるかに基づいてＴＶ回路８１０またはＰＣ１０へデータを転送することとしたので、リモコン３０から切換スイッチを取り除き、操作性を向上させることができる。
【実施例３】
【００４１】
上記実施例１および２では、ＰＣ１０またはＴＶ回路８１０が出力する映像音声信号を切換えて表示するＴＶ機能付きモニタについて説明したが、切換える映像音声信号を三つ以上に増やすこともできる。そこで、本実施例３では、三つの映像音声信号を切換えて表示するＴＶ機能付きモニタについて説明する。
【００４２】
図５は、本実施例３に係るＴＶ機能付きモニタの構成を示す機能ブロック図である。なお、ここでは説明の便宜上、図１に示した各部と同様の役割を果たす機能部については同一符号を付すこととしてその詳細な説明を省略する。
【００４３】
図５に示すように、このＴＶ機能付きモニタ４００は、ＴＶ回路８１０と、入力切換部４２０と、表示デバイス８３０と、ＩＲ受光部４４０と、ＩＲ送信部４５０とを有する。
【００４４】
入力切換部４２０は、ＰＣ１０からの映像音声信号とＴＶ回路８１０からの映像音声信号とＶＴＲ４０からの映像音声信号を切換えて表示デバイス８３０に出力する。また、この入力切換部４２０は、現在の切換状況をＩＲ受光部４４０に通知する。
【００４５】
ＩＲ受光部４４０は、ＩＲ受光部１４０と同様、リモコン３０が赤外線を用いて送信するデータを受信するが、受信したデータをＰＣ１０、ＴＶ回路８１０またはＶＴＲ４０に転送する。
【００４６】
このＩＲ受光部４４０は、入力情報取得部４４１と、入力情報記憶部４４２と、受信部１４３と、振分け部４４４とを有し、入力切換部４２０から通知される切換状況や受信部１４３が受信したデータの転送先がＰＣ１０、ＴＶ回路８１０またはＶＴＲ４０のうちのいずれかであることを除いて、ＩＲ受光部１４０と同様の機能を有する。
【００４７】
ＩＲ送信部４５０は、表示デバイス８３０に表示されている画面がＶＴＲ画面の場合に、ＩＲ受光部４４０がリモコン３０から受信したデータを赤外線を用いてＶＴＲ４０に転送する処理部である。
【００４８】
上述してきたように、本実施例３では、ＩＲ受光部４４０が入力切換部４２０の切換状況に基づいて表示デバイス８３０に表示されている画面がＰＣ画面であるかテレビ画面であるかＶＴＲ画面であるかを判定し、表示デバイス８３０に表示されている画面に基づいてＴＶ回路８１０、ＰＣ１０またはＶＴＲ４０へデータを転送することとしたので、リモコン３０から３装置を対象とする切換スイッチを取り除き、操作性を向上させることができる。
【実施例４】
【００４９】
上記実施例１〜３では、表示デバイスに一つの画面を表示するＴＶ機能付きモニタについて説明したが、表示デバイスに複数の画面を同時に表示することもできる。そこで、本実施例４では、図６に示すように、ＰＣ画面、ＴＶ画面およびＶＴＲ画面を同時に表示するＴＶ機能付きモニタについて説明する。
【００５０】
図７は、本実施例４に係るＴＶ機能付きモニタの構成を示す機能ブロック図である。同図に示すように、このＴＶ機能付きモニタ６００は、ＴＶ回路６１０と、音声切換部６２０と、音声回路６３０と、ＩＲ受光部６４０と、ＩＲ送信部６５０とを有する。
【００５１】
ＴＶ回路６１０は、テレビ電波を受信し、ユーザにより指定されたテレビ局の番組を選択してその音声信号を音声切換部６２０に出力する回路である。
【００５２】
音声切換部６２０は、ＰＣ画面、ＴＶ画面およびＶＴＲ画面が同時に表示されている場合に、ＰＣ１０からの音声信号とＴＶ回路６１０からの音声信号とＶＴＲ４０からの音声信号を切換えて音声回路６３０に出力する切換部である。また、この音声切換部６２０は、現在の音声切換状況をＩＲ受光部６４０に通知する。
【００５３】
音声回路６３０は、音声切換部６２０が出力する音声信号を用いて音声を出力する回路であり、ＰＣ画面、テレビ画面またはＶＴＲ画面のいずれかに対応する音声を出力する。
【００５４】
ＩＲ受光部６４０は、ＩＲ受光部４４０と同様、リモコン３０が赤外線を用いて送信するデータを受信するが、受信したデータを音声切換部６２０から通知された音声切換状況に基づいてＰＣ１０、ＴＶ回路６１０またはＶＴＲ４０に転送する。
【００５５】
ＩＲ送信部６５０は、音声回路６３０が出力する音声がＶＴＲ画面に対応する音声である場合に、ＩＲ受光部６４０がリモコン３０から受信したデータを赤外線を用いてＶＴＲ４０に転送する処理部である。
【００５６】
上述してきたように、本実施例４では、ＩＲ受光部６４０が音声切換部６２０の切換状況に基づいて音声回路６３０によって出力されている音声がＰＣ画面、テレビ画面またはＶＴＲ画面のいずれに対応する音声であるかを判定し、音声回路６３０に出力されている音声に基づいてＴＶ回路６１０、ＰＣ１０またはＶＴＲ４０へデータを転送することとしたので、モニタが複数の画面を同時に表示する場合にもリモコン３０の操作対象を特定することができ、リモコン３０から切換スイッチを取り除くことができる。
【００５７】
なお、本実施例では、ＴＶ機能付きモニタについて説明したが、このＴＶ機能付きモニタのリモコンデータ転送機能をソフトウェアによって実現することで、同様の機能を有するリモコンデータ転送プログラムを得ることができる。そこで、このリモコンデータ転送プログラムを実行するコンピュータについて説明する。
【００５８】
図８は、本実施例１〜４に係るリモコンデータ転送プログラムを実行するコンピュータの構成を示す機能ブロック図である。同図に示すように、このコンピュータ７００は、ＣＰＵ７１０と、ＲＡＭ７２０と、ＲＯＭ７３０と、Ｉ／Ｏインタフェース７４０とを有する。
【００５９】
ＣＰＵ７１０は、リモコンデータ転送プログラムを実行する中央処理装置であり、ＲＡＭ７２０は、プログラムの実行途中結果などを保存するメモリである。ＲＯＭ７３０は、リモコンデータ転送プログラムなどを記憶する読出し専用メモリであり、Ｉ／Ｏインタフェース７４０は、赤外線を受信するハードウェアやＴＶ回路などをコンピュータ７００に接続するインタフェースである。
【００６０】
また、本実施例１〜４では、ＴＶ機能付きモニタについて説明したが、本発明はこれに限定されるものではなく、例えば、ＴＶ機能のないモニタにＴＶ装置をＰＣなどとともに接続する場合にも同様に適用することができる。
【００６１】
また、本実施例１〜４では、パソコンとＴＶ機能付きモニタとの組み合わせについて説明したが、本発明はこれに限定されるものではなく、パソコン以外の電子装置とＴＶ機能付きモニタ以外の切替え装置または出力装置とを組み合わせる場合にも同様に適用することができる。
【００６２】
（付記１）遠隔制御装置で制御される複数の電子装置を、前記電子装置の出力を切り換えて出力する切り換え装置において、
前記遠隔制御装置から送信され、前記電子装置を制御するデータを受信するデータ受信手段と、
前記データ受信手段により受信されたデータを前記切り換え装置の切換の状態に応じて、前記電子装置に転送するデータ転送手段と
を備えたことを特徴とする切り換え装置。
【００６３】
（付記２）前記電子装置は、複数の種類の出力を前記切り換え装置に出力し、
前記データ転送手段は、少なくとも一つの種類の出力に応じて、前記データを前記電子装置に転送することを特徴とする付記１記載の切り換え装置。
【００６４】
（付記３）前記複数の種類の出力は、音声出力と画像出力であることを特徴とする付記２記載の切り換え装置。
【００６５】
（付記４）前記データ転送手段は、音声切換の状態に応じて前記データを前記電子装置に転送することを特徴とする付記３記載の切り換え装置。
【００６６】
（付記５）前記電子装置の出力を合成して出力することを特徴とした付記１記載の切り換え装置。
【００６７】
（付記６）複数の出力部と、遠隔制御装置から送信され、前記出力部を制御するデータを受信するデータ受信部と、前記出力部の出力を切り換えて出力する切り換え部とを備える電子装置において、
前記データを前記切り換え部の切換の状態に応じて、前記出力部に転送するデータ転送部とを備えたことを特徴とする電子装置。
【００６８】
（付記７）前記出力部は、複数の種類の出力を前記切り換え部に出力し、
前記データ転送手段は、少なくとも一つの種類の出力に応じて、前記データを前記出力部に転送することを特徴とする付記６記載の電子装置。
【００６９】
（付記８）前記複数の種類の出力は、音声出力と画像出力であることを特徴とする付記７記載の電子装置。
【００７０】
（付記９）前記データ転送手段は、音声切換の状態に応じて前記データを前記出力部に転送することを特徴とする付記８記載の電子装置。
【００７１】
（付記１０）前記出力部の出力を合成して出力することを特徴とした付記６記載の電子装置。
【００７２】
（付記１１）遠隔制御装置から送信され、複数の出力装置を制御するデータを受信するデータ受信ステップと、
前記出力装置の出力を切り換えて出力する切り換えステップと、
前記受信されたデータを前記切り換えステップの結果に応じて、前記出力装置に転送するデータ転送ステップと
を備えたことを特徴とするデータ転送方法。
【００７３】
（付記１２）前記切り換えステップは、複数の種類の出力を切り換えて出力し、
前記データ転送ステップは、少なくとも一つの種類の出力に応じて、前記データを前記出力装置に転送することを特徴とする付記１１記載のデータ転送方法。
【００７４】
（付記１３）前記複数の種類の出力は、音声出力と画像出力であることを特徴とする付記１２記載のデータ転送方法。
【００７５】
（付記１４）前記データ転送ステップは、音声切換の状態に応じて前記データを前記出力装置に転送することを特徴とする付記１３記載のデータ転送方法。
【００７６】
（付記１５）前記出力装置の出力を合成して出力することを特徴とした付記１１記載のデータ転送方法。
【００７７】
（付記１６）コンピュータに、
遠隔制御装置から送信され、複数の出力装置を制御するデータを受信するデータ受信ステップと、
前記出力装置の出力を切り換えて出力する切り換えステップと、
前記受信されたデータを前記切り換えステップの結果に応じて、前記出力装置に転送するデータ転送ステップと
を実行させることを特徴とするプログラム。
【００７８】
（付記１７）前記切り換えステップは、複数の種類の出力を切り換えて出力し、
前記データ転送ステップは、少なくとも一つの種類の出力に応じて、前記データを前記出力装置に転送することを特徴とする付記１６記載のプログラム。
【００７９】
（付記１８）前記複数の種類の出力は、音声出力と画像出力であることを特徴とする付記１７記載のプログラム。
【００８０】
（付記１９）前記データ転送ステップは、音声切換の状態に応じて前記データを前記出力装置に転送することを特徴とする付記１８記載のプログラム。
【００８１】
（付記２０）前記出力装置の出力を合成して出力することを特徴とした付記１６記載のプログラム。
【符号の説明】
【００８２】
１０    ＰＣ（パソコン）
２０    リモコン（切換スイッチ有り）
２１    切換スイッチ
３０    リモコン（切換スイッチなし）
４０    ＶＴＲ
１００，３００，４００，６００，８００    ＴＶ機能付きモニタ
１２０，３２０，４２０，８２０    入力切換部
１４０，３４０，４４０，６４０，８４０    ＩＲ受光部
１４１，４４１，６４１    入力情報取得部
１４２，４４２    入力情報記憶部
１４３，３４１    受信部
１４４，４４４    振分け部
３２１    振分け部
３４２    転送部
４５０，６５０    ＩＲ送信部
６１０，８１０    ＴＶ回路
６２０    音声切換部
６３０    音声回路
７００    コンピュータ
７１０    ＣＰＵ
７２０    ＲＡＭ
７３０    ＲＯＭ
７４０    Ｉ／Ｏインタフェース
８３０    表示デバイス
【図１】
2010183635.tif 000003
【図２】
2010183635.tif 000004
【図３】
2010183635.tif 000005
【図４】
2010183635.tif 000006
【図５】
2010183635.tif 000007
【図６】
2010183635.tif 000008
【図７】
2010183635.tif 000009
【図８】
2010183635.tif 000010
【図９】
2010183635.tif 000011
【図１０】
2010183635.tif 000012